(57)【特許請求の範囲】
【請求項１】
遊技盤の遊技領域から取り込んだ球を遊技盤の裏側に排出する保留入賞部品と、遊技盤の裏側から遊技領域に球を放出する保留放出部品と、保留入賞部品に取り込まれた球を検出する保留球検出器と、保留球検出器から出力される保留入賞信号を計数する制御装置と、制御装置から出力される保留計数値で遊技盤の裏側のタンクから球を保留放出部品に排出する保留球払出機構とを備えたことを特徴とするパチンコ機。
【請求項２】
制御装置が遊技状況に基づき保留計数値による駆動信号を保留球払出機構に出力する自動解除手段を備えたことを特徴とする請求項１記載のパチンコ機。
【請求項３】
制御装置が遊技機枠の前面に設けられた解除操作機構からの信号に基づき保留計数値による駆動信号を保留球払出機構に出力する人為解除手段を備えたことを特徴とする請求項１記載のパチンコ機。
【請求項４】
制御装置による保留計数値を遊技者に知らせる保留数指示器を備えたことを特徴とする請求項１記載のパチンコ機。
【発明の詳細な説明】
【０００１】
【発明の属する技術分野】
本発明は遊技盤の遊技領域に飛び交う球数を増やすパチンコ機に関する。
【０００２】
【従来の技術】
パチンコ機では遊技盤の遊技領域に貯蔵室を設け、貯蔵室に貯蔵された複数の球を遊技状況に応じて遊技盤の遊技領域に一気に放出する電動役物は知られている。
【０００３】
【発明が解決しようとする課題】
しかしながら、前記従来の電動役物は複数の球を貯蔵する構造であるので、放出する球数を多くして遊技性を向上するために貯蔵量を多くすると、貯蔵室の容積が大きくなり、貯蔵室が大きくなるのに伴い、遊技領域が狭くなり、遊技性に欠けるという問題点があった。
【０００４】
そこで、本発明は遊技領域を狭くすることなく遊技領域に飛び交う球数を多くして遊技性を向上することができるパチンコ機を提供するものである。
【０００５】
【課題を解決するための手段】
本発明にあっては、遊技盤の遊技領域から取り込んだ球を遊技盤の裏側に排出する保留入賞部品と、遊技盤の裏側から遊技領域に球を放出する保留放出部品と、保留入賞部品に取り込まれた球を検出する保留球検出器と、保留球検出器から出力される保留入賞信号を計数する制御装置と、制御装置から出力される保留計数値で遊技盤の裏側のタンクから球を保留放出部品に排出する保留球払出機構とを備えたことによって、保留入賞部品が遊技盤の遊技領域から取り込んだ球を遊技盤の裏側に排出するので、保留入賞部品が小さくても、見かけ上、多量の球を貯蔵した状態となり、遊技領域が狭くなることはなく、また、保留放出部品が見かけ上、貯蔵された球を遊技領域に放出するので、遊技領域に飛び交う球数が増えて、遊技性を向上することができる。また、本発明にあっては、制御装置が遊技状況に基づき保留計数値による駆動信号を保留球払出機構に出力する自動解除手段を備えれば、或る遊技状況をきっかけとして遊技領域に飛び交う球数が増加するので、遊技者に意外性を与えることができる。また、本発明にあっては、制御装置が遊技機枠の前面に設けられた解除操作機構からの信号に基づき保留計数値による駆動信号を保留球払出機構に出力する人為解除手段を備えれば、遊技領域に飛び交う球数を増やすのを遊技者の意志に任せることができる。また、本発明にあっては、制御装置による保留計数値を遊技者に知らせる保留数指示器を備えれば、遊技者が保留球数を適切に把握することができる。
【０００６】
【発明の実施の形態】
図１は第１実施形態に係るパチンコ機を模式的に示す。遊技盤１は図外の遊技機枠の内部に交換可能に格納される遊技主体であって、遊技盤１の前面のガイドレール２で囲まれた内側の遊技領域には保留入賞部品３、保留放出部品４、保留数指示器５、始動入賞部品６、図柄表示器７、可変入賞部品８を備える。保留入賞部品３は遊技盤１の遊技領域から球を保留入賞部品３に取り込んで遊技盤１の裏側に排出する。可変入賞部品８は遊技盤１の遊技領域から球を可変入賞部品８の内部に取り込むための開閉体９と、開閉体９を動作するために可変入賞部品８の裏側に設けられた開閉駆動源１０とを備える。
【０００７】
可変入賞部品８の内部に取り込まれた球は可変入賞部品８の内部に設けられた普通入賞口やＶゾーンと呼ばれる特定入賞口のいずれかを経由して遊技盤１の裏側に排出される。保留入賞部品３に入賞した球を検出する保留入賞球検出器１１、始動入賞部品６に入賞した球を検出する始動入賞球検出器１２は制御装置１３の入力機器であって、保留入賞球検出器１１は球を検出した信号である保留入賞信号を制御装置１３に出力し、始動入賞球検出器１２は球を検出した信号である始動入賞信号を制御装置１３に出力する。
【０００８】
遊技機枠の裏側にはタンク１４、保留球払出機構１５、賞球払出機構１６を備える。タンク１４は遊技機枠を取り付ける島と呼ばれるような遊技機設置設備に設けられた球補給系統から供給された球を貯蔵する部品であり、保留球払出機構１５はタンク１４に貯蔵された球を制御装置１３からの出力で保留放出部品４に排出する部品であり、賞球払出機構１６はタンク１４に貯蔵された球を制御装置１３からの出力で遊技機枠の前側に設けられた図外の皿装置に排出する部品である。
【０００９】
保留数指示器５と図柄表示器７および開閉駆動源１０は制御装置１３に対する出力機器であって、保留数指示器５は制御装置１３からの出力で保留入賞数を数値で表示し、図柄表示器７は制御装置１３からの出力で図柄合わせ遊技を表示し、開閉駆動源１０は制御装置１３からの出力で開閉体９を開閉する。制御装置１３は遊技盤１の裏側または遊技機枠の裏側に取り付けられ、制御装置１３に格納されたマイクロコンピューターがプログラムに従って動作することによって、保留入賞信号に伴う保留入賞数表示、始動入賞信号に伴う図柄合わせ、図柄合わせに伴う大当たり、大当たりに伴う保留球払い出し、賞球払い出しなどの遊技処理を実行する。第１実施形態の場合、制御装置１３はマイクロコンピューターの処理により遊技状況としての大当たりに基づき保留計数値による駆動信号を保留球払出機構１５に出力する自動解除手段１７を備える。
【００１０】
第１実施形態の動作について説明する。制御装置１３が図外の電源スイッチのオン動作に伴う電力供給で起動し、球が遊技機枠の前側に設けられた図外の皿装置に入っている状態において、遊技者が遊技機枠の前側に設けられた図外の球発射操作機構を操作すると、球が皿装置から遊技機枠の内部に設けられた図外の球発射機構に供給され、当該球が発射機構で遊技領域に向けて発射される。遊技領域に発射された球が保留入賞部品３に入賞すると、保留入賞球検出器１１が保留入賞信号を制御装置１３に出力し、制御装置１３が保留入賞信号に基づき保留球計数値をＲＡＭに記憶する（ステップ１０１；１０２参照）。制御装置１３は記憶した保留球計数値を保留数指示器５に表示する指示を出力し、保留数指示器５が遊技者に知らせるべく保留球計数値に相当する数値を表示する。
【００１１】
また、遊技領域に発射された球が始動入賞部品６に入賞すると、始動入賞球検出器１２が始動入賞信号を制御装置１３に出力し、制御装置１３が図柄合わせ遊技の処理を実行する。図柄合わせ遊技の処理は制御装置１３に格納されたマイクロコンピューターがプログラムに従って動作することによって実行される。具体的には、制御装置１３は始動入賞信号の入力を検出すると、当たり外れ抽選を行う一方、図柄表示器７に図柄変動開始を指示する（ステップ１１１；１１２参照）。
【００１２】
当たり外れ抽選は制御装置１３への始動入賞信号の入力タイミングで乱数値を取得し、取得した乱数値を制御装置１３に記憶された当たり外れ抽選知識に照合し、当たり外れ抽選知識より乱数値に応じた当たり、外れ、確率変動および変動パターンなどの図柄合わせ遊技情報を抽出し、抽出した結果を制御装置１３のＲＡＭに記憶する。当たり外れ抽選結果として当たりが抽選されている場合、制御装置１３は図柄表示器７と可変入賞部品８および保留球払出機構１５を次のように制御する。
【００１３】
図柄表示器７が図柄変動開始後に停止し、停止した確定図柄が当たり図柄で揃うと、ステップ１１３がＹＥＳであることから、ステップ１１４で保留球払出機構１５における図外の電磁ソレノイドやモータのような払出駆動源を記憶された保留球計数値に応じて駆動し（自動解除手段１７による動作）、ステップ１１５で開閉駆動源１０が可変入賞部品８の開閉体９を所定回数または所定時間開閉する。当たり外れ抽選結果として外れが抽選されている場合には、ステップ１１３がＮＯであり、制御装置１３が払出駆動源を駆動せず図柄表示器７を制御し、図柄表示器７が図柄変動開始後に停止し、停止した確定図柄が当たり図柄以外の外れ図柄となる。
【００１４】
要するに、第１実施形態では遊技盤１の遊技領域に設けた保留入賞部品３に取り込まれた球が遊技盤１の裏側に排出されるとともに保留入賞球検出器１１で検出され、制御装置１３が保留入賞球検出器１１から出力された保留入賞信号を計数し、制御装置１３が計数した保留球計数値を記憶し、遊技盤１の遊技領域に設けた保留数指示器５が保留球計数値に相当する数値を表示し、制御装置１３が大当たりで保留球払出機構１５を駆動し、保留球払出機構１５がタンク１４から制御装置１３に記憶された保留球計数値と同数の球を保留放出部品４に排出し、保留放出部品４が保留球計数値と同数の球を遊技盤１の遊技領域に放出する。
【００１５】
また、制御装置１３は始動入賞信号、普通入賞信号（可変入賞部品８の普通入賞口に入賞した球を検出する始動入賞球検出器から制御装置１３に出力される信号）、特定入賞信号（可変入賞部品８の特定入賞口に入賞した球を検出する特定入賞球検出器から制御装置１３に出力される信号）が入力されるごとに、賞球払出機構１６に球払出指示を出力し、賞球払出機構１６が球を皿装置に払い出す。始動入賞や大当たり遊技あるいは確率変動遊技が遊技者に有利な遊技である。
【００１６】
自動解除手段１７が保留球払出機構１５の払出駆動源を駆動する遊技状況としては大当たり以外に確率変動中（始動入賞による当たり外れ抽選で当たりの発生する確率が高くなった遊技中）や始動入賞に基づき保留計数値による駆動信号を保留球払出機構１５の払出駆動源に出力してもよいが、第１実施形態のように大当たりとすれば、保留放出部品４の球放出による遊技領域に飛び交う球の増加で可変入賞部品８への入賞が短期間に多くなり、遊技性を一層向上することができる。
【００１７】
図２は第２実施形態に係るパチンコ機を示す。第１実施形態では確定図柄が当たり図柄に揃った大当たりで保留入賞部品３から取り込まれた保留球に相当する球をタンク１４から保留放出部品４を経由して遊技盤１の遊技領域に放出したのに対し、第２実施形態は制御装置１３がマイクロコンピューターの処理により解除操作機構２３における解除スイッチ２４からの解除信号に基づき保留計数値による駆動信号を保留球払出機構１５に出力する人為解除手段２５を備える。そして、遊技者が遊技機枠２１の皿装置２２に設けられた解除操作機構２３を操作することで保留入賞部品３から取り込まれた保留球に相当する球をタンク１４から保留放出部品４を経由して遊技盤１の遊技領域に放出するものである。
【００１８】
図２に示すように、ステップ２０１；２０２に示すように保留数指示器５が保留球計数値に相当する数値を表示した状態において、遊技者が解除操作機構２３を操作すると、解除操作機構２３に設けられた解除スイッチ２４が解除信号を制御装置１３に出力し（ステップ２０３がＹＥＳ参照）、保留放出部品４が保留球計数値と同数の球を遊技盤１の遊技領域に放出すれば（ステップ２０４参照）、始動入賞や大当たりが発生しなくても、遊技領域に保留球とを流下させて入賞する機会を多くすることができる。
【００１９】
保留数指示器５は数値を表示する代りに数値を連想させるキャラクタまたは音声による数値または数値を連想させる音であって同様に適用できるが、第１・第２実施形態のように数値を表示すれば遊技者が数値を的確に把握することできる。音声または音の場合、保留数指示器５はスピーカとなる。保留数指示器５が遊技盤１の遊技領域に設けたが、遊技盤１のガイドレール２よりも外側の非遊技領域または図２に示す遊技機枠２１の前面側に設けてもよい。また、保留数指示器５に代えて、保留入賞部品３に取り込まれた球を一時的に貯蔵し、当該貯蔵された球を遊技者に見せるように貯蔵透視領域を遊技盤１に形成し、保留入賞部品３に貯蔵された球を保留放出部品４から放出するようにしてもよい。
【図面の簡単な説明】
【図１】  第１実施形態のパチンコ機を示す模式図。
【図２】  第２実施形態のパチンコ機を示す模式図。
【符号の説明】
１  遊技盤
３  保留入賞部品
４  保留放出部品
５  保留数指示器
１３  制御装置
１４  タンク
１５  保留球払出機構
１７  自動解除手段
２５  人為解除手段
【図１】
0004204801.tif 000002
【図２】
0004204801.tif 000003